(57)【要約】【課題】  一般的な眼鏡を利用する利用者においても、安定した装着感を得ることができ、かつ、任意の眼鏡に対して容易に着脱可能である、イヤホンを提供する。【解決手段】  電気音響変換器を備えるイヤホンユニットを利用者の左右の耳介に対して保持するイヤホンであって、メガネのテンプルに係止する係止部と、電気音響変換器を備える本体部と、を有し、本体部は、係止部に連接し、利用者に装着された状態において、係止部の長さ方向の中心軸と、本体部の長さ方向の中心軸は、係止部と本体部の連接部において所定の角度を形成していて、本体部の中心軸は、係止部がテンプルに当接する部分を起点として、係止部の中心軸よりも利用者側に傾いている、イヤホンによる。【選択図】図１
2015103841.tif 000002
【特許請求の範囲】
【請求項１】
電気音響変換器を備えるイヤホンユニットを利用者の左右の耳介に対して保持するイヤホンであって、
メガネのテンプルに係止する係止部と、
上記電気音響変換器を備える本体部と、
を有し、
上記本体部は、上記係止部に連接し、
利用者に装着された状態において、
上記係止部の長さ方向の中心軸と、上記本体部の長さ方向の中心軸は、上記係止部と上記本体部の連接部において所定の角度を形成していて、
上記本体部の中心軸は、上記係止部が上記テンプルに当接する部分を起点として、上記係止部の中心軸よりも利用者側に傾いている、
ことを特徴とするイヤホン。
【請求項２】
利用者に装着された状態において、
上記本体部は、上記係止部が上記テンプルに当接する部分を支点として上記耳介とは反対側に変位する、
請求項１記載のイヤホン。
【請求項３】
上記係止部は弾性部材からなり、
上記本体部は、上記係止部の弾性力により装着時に上記耳介側に押圧力を受ける、
請求項１または２記載のイヤホン。
【請求項４】
上記イヤホンユニットの側面から見た形状は、勾玉形状である、
請求項１乃至３のいずれかに記載のイヤホン。
【請求項５】
上記左右の耳介に保持されるイヤホンユニットは、連結部材によって、一対として保持される、
請求項１乃至４のいずれかに記載のイヤホン。
【請求項６】
利用者に装着された状態において、
上記係止部が上記テンプルに係止する位置は、上記テンプルの長さ方向の中央付近である、
請求項１乃至５のいずれかに記載のイヤホン。
【請求項７】
上記連接部は、ヒンジ構造である、
請求項１乃至６のいずれかに記載のイヤホン。
【請求項８】
上記係止部の形状は、上記連接部から先端に向けて先細りである、
請求項１乃至７のいずれかに記載のイヤホン。
【発明の詳細な説明】
【技術分野】
【０００１】
本発明は、眼鏡装着時や運動時においても安定した装着感を得られるイヤホンに関するものである。
【背景技術】
【０００２】
無線通信装置や駆動電源となる電池を内蔵するイヤホンを、耳介に装着するときの装着感を安定させる様々な構造が知られている。例えば、左右の耳介に装着されるイヤピースを弾性部材からなるバンドで連結するタイプが知られている。このタイプは、バンドを頭部に掛けるので、装着時にはバンドによって髪型が崩されるという課題がある。この課題を解消するものとして、バンドを首に掛けるタイプが知られているが、大型になりやすく（小型化が難しく）重量が重い。
【０００３】
小型で軽量なタイプとして、イヤピースを耳介に引っ掛けるためにフック機構を備えるものが知られている。このタイプは、全体の小型化や軽量化を図りやすいが、イヤピースを耳介に固定する力が弱い。このため、特に運動時などでは、脱落しやすい。また、利用者が眼鏡を掛ける場合、イヤホンのフック機構と眼鏡のモダン（先セル）部分が耳介上部で折り重なって干渉する。これによって、装着感が不安定かつ不快になるという課題がある。
【０００４】
フック機構を備えるイヤホンであっても、メガネを掛ける場合にモダンとフック機構が干渉しないようにしたイヤホンが知られている（例えば、特許文献１参照）。また、眼鏡のテンプルにイヤホンを固定する部材を備え、イヤホンを眼鏡のテンプルに固定した状態で、イヤピースを耳介方向に向ける角度調整機構を備えるものも知られている（例えば、特許文献２を参照）。
【０００５】
特許文献１のイヤホンは、眼鏡の形状が限定されるので、イヤホン装着時に利用者が任意の眼鏡を選べなくなる。特許文献２のイヤホンは、運動時等において脱落しやすい。
【先行技術文献】
【特許文献】
【０００６】
【特許文献１】特表２００２−５１５１９７号公報
【特許文献２】特開２００４−１０４７３７号公報
【発明の概要】
【発明が解決しようとする課題】
【０００７】
本発明は、眼鏡を掛けながら装着しても、安定した装着感を得ることができ、かつ、任意の眼鏡に対して容易に着脱可能である、イヤホンを提供することを目的とする。
【課題を解決するための手段】
【０００８】
本発明は、電気音響変換器を備えるイヤホンユニットを左右の耳介に対して保持するイヤホンであって、メガネのテンプルに係止する係止部と、上記係止部に連接し、上記電気音響変換器を備える本体部と、を有し、上記係止部の長さ方向の中心軸と、上記本体部の長さ方向の中心軸は、上記係止部と上記本体部の連接部において所定の角度を形成していて、上記本体部の中心軸は、上記係止部が上記テンプルに当接する部分を起点として、上記係止部の中心軸よりも利用者側に傾いている、ことを最も主な特徴とする。
【発明の効果】
【０００９】
本発明によれば、眼鏡を掛けながら装着しても、安定した装着感を得ることができ、かつ、任意の眼鏡に対して容易に着脱可能である。
【図面の簡単な説明】
【００１０】
【図１】本発明に係るイヤホンの実施形態を示す斜視図である。
【図２】上記イヤホンの図１において示した一部領域を拡大した拡大図である。
【図３】上記イヤホンが備える本体部の内部構造の例を示す分解図である。
【図４】上記イヤホンを装着した状態を装着者の頭部方向から見た図である。
【図５】上記イヤホンの図４において示した一部領域を拡大した拡大図である。
【図６】利用者の左側頭部から見た上記イヤホンの装着状態を示す図である。
【図７】本発明に係るイヤホンの別の実施形態を示す平面図である。
【発明を実施するための形態】
【００１１】
以下、本発明に係るイヤホンの実施形態について、図面を参照しながら説明する。図１は、本実施形態に係るイヤホン１００の例を示す斜視図である。図１において、イヤホン１００は、左右の耳介に装着されるイヤピース２１を備えるイヤホンユニット１０と、イヤホンユニット１０を左右一対として保持して連結する連結部材３０と、を有してなる。
【００１２】
イヤホンユニット１０は、第１部材を構成する係止部１と、第２部材を構成する本体部２と、を有してなる。イヤホンユニット１０を側面から見た形状は、勾玉状の形状（勾玉形状）である。イヤホンユニット１０は、左右の耳介に装着されるイヤピース２１を備える。イヤホンユニット１０は、装着時の前後方向を長手方向として、イヤピース２１が配置されている側面が内側面になる。イヤホンユニット１０は、長手方向において、イヤピース２１が配置されている後端部を起点として、前方上方に反り返る形状を有している。
【００１３】
係止部１は、イヤホンユニット１０を眼鏡のテンプル（ツル）に係止する部材であって、本体部２が利用者の耳介に装着されるよう保持する保持部材でもある。係止部１は、本体部２の外周端部に連接していて、この連接部分（連接部３）から前方に延伸したような板状の部材である。係止部１は、延伸方向に直交する方向に反っていて、外周部分は丸みを帯びている。
【００１４】
また、係止部１の外形は、本体部２との連接部分である連接部３から先端部分に向けて、幅寸法が先細りになっている。すなわち、係止部１の先端部分の幅寸法は、本体部２に連接している連接部３の幅寸法よりも狭くなっている。このような先細りの形状にすることで、係止部１が眼鏡のテンプル部分に係合したときに、係止部１によって利用者の視界が制限されることを防止することができる。
【００１５】
本体部２には、内部に電気音響変換器を備えるイヤピース２１が配置されている。イヤピース２１は、本体部２の長さ方向に直交する方向に形成されている側面の一方である内側面の、係止部１とは反対側の、端部付近に配置されている。本体部２は、係止部１との連接部３から、イヤピース２１が配置されている端部方向に向けて、係止部１と同方向に反った外形を有している。なお、本体部２の外周も、厚さ方向に対して丸みを帯びている。
【００１６】
イヤピース２１が備える電気音響変換器は、後述するように、本体部２の内部に配置されている回路基板などによって動作し、電気信号を音に変換して出力する。
【００１７】
連結部材３０は、左右の耳に装着されるイヤホンユニット１０を一対として保持するためのバンド部材である。連結部材３０の端部は、本体部２の周端面に固定されている。連結部材３０によって、利用者がイヤホンユニット１０を両耳に装着した状態において、不意に一方のイヤホンユニット１０が脱落しても、もう一方のイヤホンユニット１０を紛失することを防ぐことができる。なお、連結部材３０は、利用者の首に係止できるものであれば、素材や形状を問わない。
【００１８】
次に、係止部１について、より詳細に説明する。図２は、図１において符号Ａにて示した領域の拡大図である。係止部１の素材は、シリコンゴムなどの所定の硬度を持ち、弾性力を有する素材が好適である。図２に示すように、係止部１は、固定片１１と、可動片１２と、連結可動部１３と、を有してなる。
【００１９】
固定片１１は、細長い板状であって、長さ方向の一方の端部は、本体部２の端部に連接する連接部３である。また、長さ方向の他方の端部には、連結可動部１３を有していて、可動片１２が連結している。
【００２０】
可動片１２は、例えば、固定片１１よりも厚さ寸法が厚い、細長い板状の部材であって、一方の端部が連結可動部１３を介して固定片１１に接合されている。可動片１２の他方の端部は、固定片１１の長手方向に直交する方向であって、固定片１１から離れる方向に可動できるようになっている。なお、図１及び図２に示した係止部１は、可動片１２が内側方向に可動するものであるが、本発明はこれに限ることはない。係止部１は、固定片１１が連接部３を介して本体部２に固定された状態で、連結可動部１３を介して可動片１２が固定片１１との間に隙間を形成して開き、または、閉じる機構であればよい。したがって、可動片１２を外側に配置して、外方向に開くものであってもよい。
【００２１】
図２に示すように、可動片１２が開いた状態で、後述するように眼鏡のテンプル部分に可動片１２を引っ掛けて可動片１２を閉じると、眼鏡のテンプル部分が係止部１で挟持される。イヤホン１００は、係止部１がテンプル部分を挟持した状態で、イヤピース２１が耳介に当接して装着されるようになっている。眼鏡のテンプル部分を係止部１が挟持した状態で、係止部１の先端部分を持ち上げると、眼鏡からイヤホンユニット１０を容易に取り外すことができる。
【００２２】
次に、本体部２について説明する。図３は、本体部２の内部構造の例を示す分解図である。図３に示すように、本体部２は、係止部１と連接した連接部３とは反対側の端部の側面にイヤピース２１が配置されていて、イヤピース２１が配置されている側面と反対側の側面の内部に、本体部材２２を備えている。
【００２３】
本体部材２２は、イヤピース２１が備える電気音響変換器の動作制御をする回路を備える基板２２１と、電気音響変換器や回路の動作電源となる電池２２２と、通話用マイク２２３と、を有してなる。これら本体部材２２は、本体部２の開口部に収められていて、本体部２の開口部は側面カバー２２４によって閉じられている。
【００２４】
次に、イヤホン１００の特徴について利用者がイヤホン１００を装着した状態を示しながら説明する。図４は、イヤホン１００を装着した状態を装着者の頭部方向から見た図である。図４において、利用者が装着しているメガネ４０の左右のツルであるテンプル４１のそれぞれに、イヤホンユニット１０が係止されている。
【００２５】
イヤホンユニット１０は、係止部１の先端部分から本体部２との連接部３までの長さ方向の中心軸と、連接部３から本体部２の先端部分までの長さ方向の中心軸とが、連接部３を境にして所定の角度を形成している。
【００２６】
具体的には、テンプル４１に係止している係止部１の先端部から連接部３にかけて、係止部１の長手方向の中心軸の方向は、利用者の側頭部からやや離れる方向に向いている。連接部３から本体部２の後端部にかけて、本体部２の長手方向の中心軸の方向は、利用者の側頭部に近づく方向に向いている。
【００２７】
図５は、図４において符号Ｂで示した領域の拡大図である。図５は、利用者の右耳に装着されるイヤホンユニット１０を示している。図５に示すように、係止部１の長さ方向の中心軸（以下、「係止部軸５１」という。）と、本体部２の長さ方向の中心軸（以下、「本体部軸５２」という。）は、連接部３を境にして、所定の角度を形成している。
【００２８】
言い換えると、イヤホンユニット１０は、係止部軸５１を基準にした場合、本体部軸５２が係止部軸５１よりも、利用者の側頭部側（テンプル４１よりも内側）に位置するように、連接部３によって係止部１と本体部２が湾曲または屈曲している。すなわち、イヤホンユニット１０の長手方向の全体形状は、係止部１から本体部２にかけて、本体部２が利用者の耳介に近づくように湾曲または屈曲した形状になっている。
【００２９】
係止部１をメガネ４０のテンプル４１に装着して係止すると、係止部１のテンプル４１に当接する。テンプル４１に係止部１の当接部分が支点となり、イヤホンユニット１０の本体部２は、利用者の側頭に近づく。本体部２が利用者の側頭部に近づくと、本体部軸５２は、係止部軸５１を延長した軸線上よりも、利用者の側頭及び耳介側に傾くことになる。すなわち、係止部１とメガネ４０のテンプル４１に装着して係止すると、本体部２の側面に配置されているイヤピース２１は、利用者の耳介に押し当てられる状態になる。
【００３０】
イヤピース２１が耳介に押し当てられる状態になると、本体部２は外側に押し戻される。すなわち、イヤピース２１が耳介に押し当てられる状態において、本体部２は耳介とは反対側に変位する状態になる。本体部２が耳介とは反対側に変位すると、係止部１にも、耳介と反対側に変位しようとする応力が加わる。係止部１のテンプル４１に当接する部分は固定されているから、係止部１に加わる外側へ向う力に対して、この固定部分が支点となり、係止部１の弾力によって、本体部２は係止部軸５１を延伸した軸線５３側に変位する。
【００３１】
この変位は、係止部軸５１よりも本体部軸５２が利用者の側頭部側に位置することによよって生じ、また、係止部１がテンプル４１に当接した部分が支点となって、係止部１の弾性によって生じる。
【００３２】
つまり、イヤホン１００は、メガネ４０を掛けている利用者が装着するとき、係止部１をテンプル４１に係止することで、本体部２の位置が、テンプル４１より利用者の側頭部側に傾いた位置に変位するようになっている。そうすると、イヤピース２１は利用者の耳介に押し当てられる。係止部１は弾性部材からなるので、イヤピース２１に対して外方向への押圧力が加わると、本体部２が外側に押し出され、本体部軸５２が軸線５３側に変位する。
【００３３】
以上のように、イヤホン１００は、本体部２が係止部１の弾性によって利用者の耳介側に押し付けられる力と、利用者の耳介及び側頭部からの押圧力と、が加わるように構成されている。これらの力によって、イヤホン１００は、より強く利用者の耳介に押し付けられて、安定した装着感を得られるようになっている。
【００３４】
次に、イヤホン１００の利用態様について、さらに説明する。図６は、利用者の左側頭部から見たイヤホン１００の装着状態を示す図である。図６に示すように、イヤホン１００の片側のユニット（イヤホンユニット１０）を側面方向から見た形状は、全体として勾玉形状である。装着状態において、イヤホンユニット１０の一方の先端部に当たる係止部１は、メガネ４０のテンプル４１に係合されている。また、装着状態において、イヤホンユニット１０の他方の先端部の側面に配置されているイヤピース２１（図６においては不図示）は、利用者の耳介に装着されている。
【００３５】
すでに説明した通り、係止部１は、固定片１１と可動片１２とを有していて、可動片１２が連結可動部１３によって固定片１１から離れて開き、固定片１１と可動片１２との間に隙間を形成することができる。この隙間に、テンプル４１を差し込むと、連結可動部１３がテンプル４１の上側に引っかかる。その後、この引っ掛けた状態で可動片１２を閉じれば、イヤホンユニット１０が所定の位置で固定される。
【００３６】
係止部１の重量が本体部２の重量よりも軽くなるように、係止部１を軽い素材を用いて薄く形成する。そうすると、イヤホンユニット１０の重心は本体部２側に傾くことになるので、テンプル４１に係る荷重を軽減させることができ、装着時にメガネ４０がずれることを防止することができる。
【００３７】
また、係止部１は、テンプル４１の長さ方向の中央付近においてテンプル４１に係合する。メガネ４０の重心は、テンプル４１の長さ方向の中央付近よりも前方（レンズ側）にあるが、テンプル４１の長さ方向中央付近において係止部１を介してテンプル４１が下方向に抑えられるようになる。これによって、イヤホン１００を装着することによって、メガネ４０の装着感も安定する。また、メガネ４０のレンズの重量によって、テンプル４１には上方向に移動しようをする荷重が若干生じている。この荷重によって、イヤホンユニット１０も上側に引っ張られる。耳介に装着されているイヤピース２１は、耳腔の端部に配置しているので、イヤホンユニット１０が若干上側に引っ張られることで、耳腔端部付近において、その位置がより安定することになる。
【００３８】
以上説明したように、イヤホン１００は、一般的な眼鏡を利用する利用者においても、安定した装着感を得ることができる。また、イヤホン１００は、眼鏡装着者が容易に着脱可能である。
【００３９】
なお、係止部１の長さ方向の中心軸である係止部軸５１と、連接部３から本体部２の先端部分までの長さ方向の中心軸である本体部軸５２によって形成される所定の角度は、本発明の要旨を逸脱することなく、任意に設定し得る。角度範囲は、例えば、装着感が損なわれない範囲として、５度〜３０度に設定する。
【００４０】
次に、本発明に係るイヤホンの別の実施形態について説明する。以下において説明する実施形態は、すでに説明した実施形態と共通する部分を備えている。したがって、異なる部分を中心に説明する。図７は、本実施形態に係るイヤホン１００ａが備えるイヤホンユニット１０ａの例を示す平面図である。イヤホンユニット１０ａは、イヤホンユニット１０における連接部３の代わりに、可動連接部３１を備えている。
【００４１】
可動連接部３１は、係止部１ａと本体部２ａとを可動可能に連結するヒンジ構造である。可動連接部３１は、非装着時において、係止部１ａと本体部２ａとを、所定の角度をもって連接させている。可動連接部３１によって係止部１ａと本体部２ａの長手方向において形成される連接部分の角度は、イヤホンユニット１０における連接部３における角度と同様である。
【００４２】
利用者がイヤホンユニット１０ａを装着すると、イヤピース２１が利用者の耳介に当接する。このとき、本体部２ａは、可動連接部３１の作用によって外側に開く。可動連接部３１にはコイルバネなどの弾性部材が備えられているので、外側に開いた本体部２ａを元の位置に戻そうとする復元力が生ずる。この復元力が、側圧となってイヤピース２１を利用者の耳介に押圧させ、装着状態を安定させる。
【００４３】
イヤホンユニット１０ａを構成する係止部１ａや本体部２ａは、弾性のある素材に限ることなく、剛性を備える部材によって構成されてもよい。
【００４４】
以上説明したように、イヤホン１００ａは、一般的な眼鏡を利用する利用者においても、安定した装着感を得ることができる、また、イヤホン１００ａは、眼鏡装着者が容易に着脱可能である。
【００４５】
なお、係止部１ａの長さ方向の中心軸と、可動連接部３１から本体部２ａの先端部分までの長さ方向の中心軸によって形成される所定の角度は、本発明の要旨を逸脱することなく、任意に設定し得る。角度範囲は、例えば、装着感が損なわれない範囲として、５度〜３０度に設定する。
【符号の説明】
【００４６】
１      係止部
２      本体部
３      連接部
１０    イヤホンユニット
１００  イヤホン
【図１】
2015103841.tif 000003
【図２】
2015103841.tif 000004
【図３】
2015103841.tif 000005
【図４】
2015103841.tif 000006
【図５】
2015103841.tif 000007
【図６】
2015103841.tif 000008
【図７】
2015103841.tif 000009